(57)【要約】【課題】正確で迅速な検品作業を可能にする洗濯ネームを提供する。【解決手段】衣料品に装着され、衣料品の少なくとも家庭洗濯等取扱い方法１２を含む複数の項目の衣料品情報１０が記載されている洗濯ネームであって、衣料品情報１０が記載された衣料品情報表示領域１３の周辺から、洗濯ネームの端までの判別領域１４を有しており、少なくとも判別領域１４には、衣料品情報表示領域１３に記載されている衣料品情報の少なくとも一の項目の内容に応じて変化させた判別マーク１５が表記されており、かつ、判別マーク１５は、衣料品情報１０の内容に応じて彩色されており、判別マーク１５により衣料品情報１０の内容を識別可能とする。【選択図】図１
2008225078.tif 000002
【特許請求の範囲】
【請求項１】
衣料品に装着され、前記衣料品の少なくとも家庭洗濯等取扱い方法(12)を含む複数の項目の衣料品情報(10)が記載されている洗濯ネームであって、
前記衣料品情報(10)が記載された衣料品情報表示領域(13)の周辺から、前記洗濯ネームの端までの判別領域(14)を有しており、
少なくとも前記判別領域(14)には、前記衣料品情報表示領域(13)に記載されている前記衣料品情報の少なくとも一の項目の内容に応じて変化させた判別マーク(15)が表記されており、
かつ、前記判別マーク(15)は、前記衣料品情報(10)の内容に応じて彩色されており、
前記判別マーク(15)により前記衣料品情報(10)の内容を識別可能としたことを特徴とする洗濯ネーム。
【請求項２】
請求項１に記載の洗濯ネームであって、
前記判別マーク(15)の表記される面積が、前記衣料品情報(10)の内容に対応して異なることを特徴とする洗濯ネーム。
【請求項３】
請求項１又は２に記載の洗濯ネームであって、
前記衣料品情報(10)として、衣料品サイズ(11)が記載されており、
前記判別マーク(15)は、前記衣料品サイズ(11)の内容に応じて異なることを特徴とする洗濯ネーム。
【請求項４】
請求項３に記載の洗濯ネームであって、
前記判別マーク(15)が、前記衣料品情報(10)の記載における行方向と略直交する方向に連続して表記された略直線形状であり、かつ、前記衣料品情報(10)の表示色と異なる色に彩色されており、
前記洗濯ネームは、前記衣料品サイズ(11)の内容に応じて、色及び／又は個数の組み合わせが異なる前記判別マーク(15)を有しており、
前記判別マーク(15)によって、前記衣料品サイズ(11)を識別可能としたことを特徴とする洗濯ネーム。
【請求項５】
請求項３に記載の洗濯ネームであって、
前記衣料品情報(10)が、第一の色と、前記第一の色と異なり且つ前記第一の色の１／５以下の表記面積を有する第二の色と、を含む少なくとも２色に彩色されており、
前記判別マーク(15)が、前記第二の色に付されていることを特徴とする洗濯ネーム。
【請求項６】
衣料品に装着され、前記衣料品の衣料品情報(10)が記載されている洗濯ネームであって、
前記衣料品情報(10)が記載された衣料品情報表示領域(13)の周辺から、前記洗濯ネームの端までの判別領域(14)を有しており、
前記判別領域(14)には、前記衣料品のサイズの情報に応じて、色及び／又は個数の組み合わせが異なる判別マーク(15)が表記されていることを特徴とする洗濯ネーム。
【請求項７】
衣料品に装着され、前記衣料品の衣料品情報(10)が記載されている洗濯ネーム付き衣料品であって、
前記洗濯ネームが請求項１乃至６に記載の洗濯ネームであることを特徴とする洗濯ネーム付き衣料品。
【請求項８】
衣料品に装着され、前記衣料品の衣料品情報(10)が記載されている洗濯ネーム(1)に記載された、少なくとも一部の前記衣料品情報(10)と、
前記衣料品を梱包するパッケージ(103)に表記された前記衣料品の少なくとも一部の衣料品情報(10b)と、を確認する洗濯ネームを用いた検品方法であって、
前記洗濯ネーム(1)の、前記衣料品情報(10)が記載された衣料品情報表示領域(13)の周辺から、前記洗濯ネームの端までの判別領域(14)上に、前記衣料品情報表示領域(13)に記載された衣料品情報(10)の少なくとも一部に対応させ、かつ、対応させる前記衣料品情報(10)の内容に応じて付された判別マーク(15)を視認し、
かつ、前記パッケージ(103)に表記された前記衣料品の衣料品情報(10b)を視認する工程と、
前記判別マーク(15)により、前記洗濯ネーム(1)及び前記パッケージ(103)上の両方の衣料品情報(10,10b)とが合致するか否かの判断をする工程と、
を備えることを特徴とる洗濯ネームを用いた検品方法。
【発明の詳細な説明】
【技術分野】
【０００１】
本発明は、正確で迅速な検品作業を可能にする洗濯ネーム、洗濯ネーム付き衣料品及び洗濯ネームを用いた検品方法に関するものである。
【背景技術】
【０００２】
繊維製品品質表示規程第一条では、家庭内で使用されると考えられる衣料品・寝具・インテリア用品等と、その原材料である糸及び織物・ニット生地又はレース生地の３５品目の繊維製品には、「繊維の組成」、「家庭洗濯等の取り扱い方法」などの表示事項を表示することが定められている。図９に示す平面図は、上記の情報等が印刷された従来のラベル１０４の一例である。このラベル１０４は、衣料品の繊維の組成表示１０５、家庭洗濯等取扱い方法としての取り扱い絵表示１０６、製造業者及び電話番号等の製造業者情報１０７、さらに製品のサイズ１０８が表記されている。
【０００３】
また、家庭洗濯等取扱い方法については、容易に取れない方法で繊維製品に取り付けることが好ましく、したがって、洗濯ネームと呼称されるラベルに、家庭洗濯等取扱い方法を図解した取り扱い絵表示１０６を表記し、これを製品に縫い付ける方法が一般的である。図９のラベル１０４では、取り扱い絵表示１０６と共に、品質等の記載が併記されており、繊維製品に縫製されて取り付けられる。
【０００４】
図１０は、図９のラベル１０４が縫いつけられた衣料品１０１に関する説明図である。ラベル１０４を縫いつけた衣料品１０１は、図１０に示すように折り畳まれて売り場等に陳列される。また陳列の効率化を図るため、例えば図１０の衣料品１０１は、鉤状のフック１０２を有するパッケージ１０３によって梱包される。パッケージ１０３は、フック１０２を固定し、さらに折り畳まれた衣料品１０１を挟み込んで支持する支持部材１０９を有している。支持部材１０９を介してフック１０２が装着された衣料品１０１は、衣料品売り場等の長竿に引っかけられて容易に陳列できる上、整然と整列されるため、需要者にとっても選択しやすい。
【０００５】
ところで、ラベル１０４は、衣料品を身につけた状態で、外部に露出されない位置に縫製されることが多く、例えば図１０に示す衣料品１０１では、ラベル１０４が生地の裏側に縫製されている。また、生地の表側に取り付けられたラベルであっても、折り畳まれた衣料品の陳列状態では、ラベル１０４は内側に折り込まれて露出されない場合がある。すなわち、需要者がラベル１０４に記載された情報を知る際には、ラベル１０４を露出させる必要があり、その際にも、衣料品の折りたたみ方向によっては、ラベルが上下逆さまで文字が読みづらい等、ラベルの内容を認識し辛い問題があった。したがって、需要者に見やすいよう支持部材１０９上に、新たに情報を追記する手段が講じられている。例えば図１０の支持部材１０９では、需要者と対面する側に商品情報欄１１０が設けられており、この商品情報欄１１０には上記の衣料品情報や、或いはこれに加えて折り畳まれた商品を広げた際の形状や特徴等を記載することができる。また表記の方法も需要者の目を引きつけるようなデザイン等、種々の工夫が可能であり、需要者の購入判断に大きく役立つ。
【０００６】
ただし、衣料品１０１に逢着されたラベル１０４と、支持部材１０９上の商品情報欄１１０に共通した情報は、当然ながら一致していなければならない。このため、衣料品の納品前に、両者の情報を確認する検品作業が必要となる。従来、両者が同一であるか否かの判読は目視による方法が採られていたが、ラベルに記載された種々の衣料品情報の内、確認が必要な情報のみを瞬時に探し出すのは困難であるため、見間違え等により内容の合否の判断ミスが生じていた。これにより商品情報欄１１０に記載された内容とは異なる異種商品が混入してしまう。誤判断を防止するために、例えばラベル１０４上の記載文字を大きくして視認し易いようにすれば、ラベル内に掲載できる情報量が少なくなり、或いはラベル自体のサイズを大きくする必要があるが、これによりコスト高となる。また製品に縫製されるラベルサイズが大きいと、需要者が製品を着用する際に不快感を覚える問題があった。また、確認したい情報のみを表記したラベルを別個に用意すれば、非効率となりコストの上昇につながる。
【０００７】
上記の問題をふまえ、異商品の混入を防ぐ検品方法として、バーコード読み取りによる判別手段が開発されている（例えば特許文献１）。これに係る検品方法の一例を図１１を用いて説明する。図１１（ａ）に示す商品名ラベル２００には、文字及び数字による表記と、バーコード２０１による表記の両方が掲示されている。図１１（ｂ）は、出荷状態にある商品を示す模式図である。必要な個数だけ用意された商品２０３が透明の中袋２０２に収納されており、各々の商品２０３には予め商品情報が記録された商品バーコード２０４が装着されている。また透明な中袋２０２の表面には図１１（ａ）の商品名ラベル２００が貼付されている。コンピュータに接続されたバーコードリーダ（図示せず）でもって、商品名ラベル２００上のバーコード２０１を読み取り、情報をコンピュータに記憶させる。その後、透明な中袋２０２越しに商品２０３の商品バーコード２０４を、再びバーコードリーダでもって読み取り、両者のバーコードデータを比較して、袋詰めされた商品の正誤が判断される。この方法を利用すれば、商品に装着されたラベルの商品情報と、商品の梱包材に装着されたラベルの商品情報とが合致しているか否かの検品が可能となる。
【０００８】
しかしながら、上記のバーコード読み取りによる判別手段では、バーコードリーダ等の読み取り装置や情報を記憶するコンピュータ、また、これに対応した商品毎のバーコード、或いはバーコード用のラベル等が必要となる。つまり専用装置がないと検品できない不便さが生じる。
【特許文献１】特開平１０−１３９１１４号公報
【発明の開示】
【発明が解決しようとする課題】
【０００９】
本発明は、従来のこのような問題点に鑑みてなされたものである。本発明の目的は、正確で迅速な検品作業を可能にする洗濯ネームを提供することにある。
【課題を解決するための手段】
【００１０】
上記の目的を達成するために、本発明の第１の洗濯ネームは、衣料品に装着され、衣料品の少なくとも家庭洗濯等取扱い方法１２を含む複数の項目の衣料品情報１０が記載されている洗濯ネームであって、衣料品情報１０が記載された衣料品情報表示領域１３の周辺から、洗濯ネームの端までの判別領域１４を有しており、少なくとも判別領域１４には、衣料品情報表示領域１３に記載されている衣料品情報の少なくとも一の項目の内容に応じて変化させた判別マーク１５が表記されており、かつ、判別マーク１５は、衣料品情報１０の内容に応じて彩色されており、判別マーク１５により衣料品情報１０の内容を識別可能としたことを特徴とする。
【００１１】
また、本発明の第２の洗濯ネームは、判別マーク１５の表記される面積が、衣料品情報１０の内容に対応して異なることを特徴とする。
【００１２】
さらにまた、本発明の第３の洗濯ネームは、衣料品情報１０として、衣料品サイズ１１が記載されており、判別マーク１５は、衣料品サイズ１１の内容に応じて異なることを特徴とする。
【００１３】
さらにまた、本発明の第４の洗濯ネームは、判別マーク１５が、衣料品情報１０の記載における行方向と略直交する方向に連続して表記された略直線形状であり、かつ、衣料品情報１０の表示色と異なる色に彩色されている。洗濯ネームは、衣料品サイズ１１の内容に応じて、色及び／又は個数の組み合わせが異なる判別マーク１５を有しており、判別マーク１５によって、衣料品サイズ１１を識別可能としたことを特徴とする。
【００１４】
さらにまた、本発明の第５の洗濯ネームは、衣料品情報１０が、第一の色と、第一の色と異なり且つ第一の色の１／５以下の表記面積を有する第二の色と、を含む少なくとも２色に彩色されており、判別マーク１５が、第二の色に付されていることを特徴とする。
【００１５】
さらにまた、本発明の第６の洗濯ネームは、衣料品に装着され、衣料品の衣料品情報１０が記載されている洗濯ネームであって、衣料品情報１０が記載された衣料品情報表示領域１３の周辺から、洗濯ネームの端までの判別領域１４を有しており、判別領域１４には、衣料品のサイズの情報に応じて、色及び／又は個数の組み合わせが異なる判別マーク１５が表記されていることを特徴とする。
【００１６】
さらにまた、本発明の第７の洗濯ネーム付き衣料品は、衣料品に装着され、衣料品の衣料品情報が記載されている洗濯ネーム付き衣料品であって、洗濯ネームが本発明の第１乃至６に記載の洗濯ネームであることを特徴とする。
【００１７】
さらにまた、本発明の第８の洗濯ネームを用いた検品方法は、衣料品に装着され、衣料品の衣料品情報１０が記載されている洗濯ネーム１に記載された、少なくとも一部の衣料品情報１０と、衣料品を梱包するパッケージ１０３に表記された衣料品の少なくとも一部の衣料品情報１０ｂと、を確認する洗濯ネームを用いた検品方法であって、洗濯ネーム１の、衣料品情報１０が記載された衣料品情報表示領域１３の周辺から、洗濯ネームの端までの判別領域１４上に、衣料品情報表示領域１３に記載された衣料品情報１０の少なくとも一部に対応させ、かつ、対応させる衣料品情報１０の内容に応じて付された判別マーク１５を視認し、かつ、パッケージ１０３に表記された衣料品の衣料品情報１０ｂを視認する工程と、判別マーク１５により、洗濯ネーム１及びパッケージ１０３上の両方の衣料品情報１０、１０ｂとが合致するか否かの判断をする工程と、を備えることを特徴とる。
【発明の効果】
【００１８】
本発明によれば、衣料品に装着された洗濯ネーム上に掲載された衣料品情報と、衣料品の梱包材など洗濯ネームと離間された位置に掲載された衣料品情報とが、合致するか否かを、検品の作業者が瞬時に判断できる。特に、検品用の判別マークに色を付すことにより、色彩情報は文字の判別に比べ視覚的に判断できるためミスが生じにくく、目視による見間違いを低減することができる効果を奏する。また、判別マークを、色及び／又は個数により組み合わせることで、複数種類の判別マークにも対応できる。
【発明を実施するための最良の形態】
【００１９】
以下、本発明の実施の形態を図面に基づいて説明する。ただし、以下に示す実施の形態は、本発明の技術思想を具体化するための洗濯ネーム、洗濯ネーム付き衣料品及び洗濯ネームを用いた検品方法を例示するものであって、本発明は洗濯ネーム、洗濯ネーム付き衣料品及び洗濯ネームを用いた検品方法を以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【実施例１】
【００２０】
（洗濯ネーム）
図１は、衣料品情報１０が掲載された洗濯ネーム１の平面図である。図１に図示される洗濯ネーム１は、これが装着される衣料品の衣料品情報１０として、家庭洗濯等取扱い方法１２を簡単に知らせるための絵表示１２ａ、及び、衣料品サイズ１１が表記されている。ただ、上記の情報に加えて、例えば繊維の組成、はっ水性、品質、原産国、製造業者の連絡先等の情報をも掲載することができる。また洗濯ネーム１は、容易に取れない方法で、例えば縫製により衣料品の一部に取り付けられる。さらに、図１の洗濯ネーム１は、その中央部に、衣料品情報１０が表記される衣料品情報表示領域１３を有している。すなわち、衣料品情報表示領域１３から洗濯ネーム１の周辺までには、衣料品情報１０が表記されていない余白領域が形成されている。この余白領域を、洗濯ネーム１に記載された衣料品情報の判別可能なマークの主な表記領域として、判別領域１４と称する。図１では矩形状の洗濯ネーム１における、四方の略周辺部に判別領域１４が形成されてなる。
【００２１】
また、洗濯ネームの衣料品情報１０における表示色や色数は特に限定されず、背景色となる洗濯ネームの生地の色や材質等を考慮して決定される。例えば黒色等の一色で表示すればコストを削減することができ、２色以上使用すれば一部の情報を視認しやすくできる。図１に係る洗濯ネーム１では、家庭洗濯等取扱い方法１２における禁止事項に赤色の略バツ印を付して、これ以外の衣料品情報１０は黒色で表示されている。また、２色の表記面積の配分において、赤色は黒色と比較して１／５以下である。これにより、赤色の表示領域の視認性が高まる。
【００２２】
（判別マーク）
また、判別領域１４には、さらに詳しくは、洗濯ネームの縫い代領域（図示せず）を除いた判別領域１４には、衣料品情報表示領域１３に記載された衣料品情報１０の一部が象徴化された判別マーク１５が表記されている。ただ、判別マーク１５が対応する情報の対象は、洗濯ネームが装着される衣料品情報であれば特に限定されず、例えば衣料品情報表示領域１３に掲載されていない情報を模式化したものでもよい。実施例１に係る判別マーク１５として、衣料品サイズを特定した判別マーク１５ａを例に挙げ、図１を用いて説明する。具体的に、図１の判別マーク１５ａは、衣料品サイズ「Ｓ」に対応している。つまり、洗濯ネーム１上に衣料品サイズ１１として「Ｓ」が記載されている場合、洗濯ネーム１は、衣料品情報１０の行方向と略直交する方向（図１における上下方向）に伸びた一本の直線状の判別マーク１５ａが形成されている。さらに判別マーク１５ａは彩色されており、ここでは緑色に付している。
【００２３】
また、別の洗濯ネーム１ｂの平面図を図２に示す。図２の洗濯ネーム１ｂは、衣料品サイズ１１ｂに「Ｌ」と記載されており、これに対応する判別マーク１５ｂを有する。具体的に、衣料品サイズ１１ｂが「Ｌ」の判別マーク１５ｂは、図１に係る「Ｓ」の判別マーク１５ａと同様の一本の直線状を有しているが、赤色に彩色されている。つまり「Ｌ」と「Ｓ」における判別マーク１５ｂ、１５ａは、形状および表示個数の点で類似するが、彩色の点で相違する。また、衣料品サイズ１１ｂ及び判別マーク１５ｂ以外の構造は図１と同様であるため、同様の符号を付して説明を省略する。図２の洗濯ネーム１ｂでは、衣料品情報１０の絵表示１２ａの彩色において、図１の洗濯ネーム１と同様の配色をなす。すなわち略バツ印は赤色に付されており、これは判別マーク１５ｂの彩色と同色である。これにより洗濯ネームに要する全体の色数を低減しつつ、所望の情報を選択的に際立たせることができる。
【００２４】
さらに、図３に、別の洗濯ネーム１ｃの平面図を示す。図３の洗濯ネーム１ｃも図２の洗濯ネーム１ｂと同様、図１と同様の構造を有する部材には同様の符号を付して説明を省略する。図３の洗濯ネーム１ｃは、衣料品サイズ１１ｃに「ＬＬ」と記載されており、判別マーク１５ｃもこれに対応した表記となっている。すなわち、洗濯ネーム１ｃの四方周辺に在する判別領域１４の内、衣料品情報表示領域１３の行方向における両側領域（図３の左右両端領域）に、判別マーク１５ｃが一個づつ、合計２個表示されている。すなわち、衣料品情報表示領域１３の両サイドに判別マーク１５ｃが形成されている位置構成となる。ただし、判別マーク１５ｃは所定の個数を有していれば、その表記箇所は特に限定されず、例えば衣料品情報表示領域１３の行方向における片側領域（図３における左側領域）に、図３の上下方向に延伸された２個の平行な直線としてもよい。また、各々の判別マーク１５ｃは図２と同様の、赤色に彩色された直線形状をなす。つまり衣料品サイズ１１ｃが「ＬＬ」である判別マーク１５ｃは２本の赤色の直線を有しており、「Ｌ」における判別マーク１５ｂと、形状および彩色の点で類似するが、表示個数の点で相違する。
【００２５】
また図１〜図３に係る判別マークにおいて、直線状の判別マークの延伸方向は特に限定されず、例えば図４に示すように衣料品情報１０の行方向（図における水平方向）でも構わない。これにより、印刷加工が容易になる場合がある。図４に示す洗濯ネーム１ｇは、判別マーク１５ｇを除いた構造は図１〜３の洗濯ネーム１、１ｂ、１ｃと同様であり、共通する部材には同様の符号を付して説明を省略する。図４の判別マーク１５ｇは、衣料品サイズ１１の「Ｓ」に対応する。また、判別マーク１５ｇは、衣料品情報１０の行方向と略平行な（図における横方向の）一本の直線形状をなしており、緑色に彩色されている。この判別マーク１５ｇは、衣料品情報１０の上側に設けられた上部判別領域１４ｂに表示されているが、これに限られず下側の下部判別領域１４ｃにも表記できる。この際、上下の判別領域１４ｂ、１４ｃの内、洗濯ネームが衣料品に装着された際に視認しやすい側に記載するのが好適である。例えば、図４の判別マーク１５ｇでは、洗濯ネームが逆向きの姿勢で装着された場合（図７参照）、衣料品の端部側に判別マークが位置するよう、洗濯ネーム１ｇの上側の判別領域１４ｂに形成されてなる。これにより判別マークが露出しやすくなるため、視認性が高まる。
【００２６】
また、各々の衣料品サイズに応じて、同じ形状ではあるが、色及び／または個数の組み合わせが異なる判別マークを有する構成は、図１〜３の洗濯ネーム１、１ｂ、１ｃと同様であるため説明を省略する。ただ、洗濯ネームにおいて、複数の判別マークを有する場合、洗濯ネームが装着された際の衣料品の端部側に相当する領域、つまり、上下の判別領域１４ｂ、１４ｃのいずれか片側のみに複数の判別マークを全て表記しても良いし、両側に分散して記載することもできる。これにより判別マークの個数の視認ミスを低減することができる。さらに、各々の衣料品サイズにおける判別マークの延伸方向は、上記のように統一しても良いが、特に限定されない。これにより、延伸方向の差、或いは複数の延伸方向を有する直線等の組み合わせにより、種々の判別マークが形成可能となる。
【００２７】
上記の構造を有する洗濯ネームによれば、例えば「Ｓ」、「Ｌ」、「ＬＬ」等の衣料品サイズにより、それぞれ色、及び／又は個数の組み合わせが異なる判別マークを有する。これにより、判別マークでもって衣料品サイズを識別できる。ただ、全ての衣料品サイズ毎に判別マークを表記する必要はなく、例えば実施例１では、衣料品サイズ１１に「Ｍ」と記載される洗濯ネーム１に関しては、判別マークを有していない。つまり、「Ｍ」以外の全ての衣料品サイズにおいて判別マークを備えていれば、判別マークを有していない衣料品は「Ｍ」と判断できるため、検品作業に支障をきたさない。これにより、例えば最も生産数の多いサイズに対応する判別マークを省略することで、必要な判別マークの印刷数を減らすことができ、コストを削減できる。
【実施例２】
【００２８】
また、判別マークの形状は直線に限定されず、波線、点線等の連続あるいは断続した模様や記号、丸や三角、四角等の単独したマークや、新たにデザインした文字、記号、図などでもよい。一例として、図５、図６、図７に実施例２の洗濯ネーム１ｄ、１ｅ、１ｆを示す。洗濯ネーム１ｄ、１ｅ、１ｆは、実施例１と同様の構造を有しており、具体的には衣料品サイズによって種別された判別マークが表記されてなる。したがって同様の構造を有する部材には同様の符号を付して説明を省略する。図５、図６、図７の洗濯ネーム１ｄ、１ｅ、１ｆは、判別マークの形状の点で実施例１と異なる。すなわち、図５の洗濯ネーム１ｄの判別マーク１５ｄは、衣料品サイズ１１の「Ｓ」に対応しており、緑色に付された略円状をなす。同様に図６の洗濯ネーム１ｅの判別マーク１５ｅは、衣料品サイズ１１ｂの「Ｌ」に対応した赤色の略三角形状をなす。さらに図７の洗濯ネーム１ｆの判別マーク１５ｆは、衣料品サイズ１１ｃ「ＬＬ」に対応しており、青色の略四角形状をなす。実施例２のように、判別マークの形状がそれぞれ異なる場合、形状の差によってマークの違いを判別できるため、同一の彩色とすることも可能である。これにより印字に係る配色数を低減できる。ただ、所定の内容毎に異なる色を付す方が好ましい。なぜなら、色彩情報により検品箇所及び検品内容が瞬時に判別でき、色及び形状の複数の観点から識別可能となるためである。これにより判別における見間違いをさらに低減することができる。
【００２９】
さらに、一つの判別マークに２種類以上の文字や記号、図、色を採用することもできる。また線の太さは特に限定されない。さらに、判別マークは、衣料品情報１０の記載文字や図等上に重なっても良く、例えば洗濯ネームの略全面に彩色することもできる。これにより、判別マークの表示面積の差により衣料品情報を種分けすることもできる。上記のように、マークの形状、表示個数或いは表示面積、色等を組み合わせることで、判別マークの種数を増大できるため、種々の衣料品情報に対応した判別マークを形成することができる。また、本明細書内での「マーク」とは、その境界線等によりマークの領域が判断できるものであれば、記号などの印に限定されず、例えば配色によりその領域が識別できるものをも含む意味で使用する。
【００３０】
また、実施例１及び実施例２に係る判別マークの表示箇所は、洗濯ネームのみならず、例えば、商品を取り扱う上での注意点および商品の特徴等が掲載されたケアラベル等、衣料品に装着されているタグであれば限定されない。これにより新たに判別マーク専用のラベル等を製造する必要がなく、製造の工程数や部材点数及びコストを削減できる。さらに、タグ上に表記される象徴化された判別マークは、衣料品サイズを特定するためのマークに限定されず、例えば繊維の組成、はっ水性、品質、原産国など、タグが装着される衣料品に係る情報であれば特に限定されない。
【００３１】
（判別マークの表記方法）
以上のような判別マークを洗濯ネーム１に表記させる方法としては、衣料品情報１０の印刷と同様の方法で行うことができる。従って、従来周知の印刷方法を採用すれば良い。具体的な洗濯ネームの製造方法としては、例えば複数枚分の洗濯ネームをスクリーン印刷により同時に印刷してロールに巻き取り、その後、各々の洗濯ネーム片ごとに裁断することで実現できる。ただ、洗濯ネームは衣料品に縫製後、多数回の洗濯にさらされる可能性があるため、これに対応できるインクの種類や塗布量、生地等を適宜選択した上、これらの材質に適応した印刷方法を採用するのが好適である。
【００３２】
（検品方法）
上記の構造を有する洗濯ネームを用いた検品方法を図８を用いて説明する。図８は実施例１に係る洗濯ネーム１ｃが縫製された衣料品２の検品方法を説明する説明図である。衣料品２は図１０と同様のパッケージ１０３によって取り付けられている。したがって図８に係るパッケージ１０３に関して、図１０のパッケージと同様の部材には同様の符号を付して詳細な説明を省略する。図１０に図示されるパッケージ１０３の商品情報欄１１０には、パッケージ記載用の衣料品情報１０ｂとして、衣料品サイズ１１１が表記されている。このパッケージ用衣料品サイズ１１１と、洗濯ネーム１ｃ上の衣料品サイズ１１ｃの両方の情報が合致しているか否かの検査において、判別マーク１５ｃとパッケージ用衣料品サイズ１１１を照らし合わせることで、瞬時に合否の判断が可能となる。
【００３３】
すなわち、検査すべき項目の内容が判別マーク１５ｃにて象徴化されて表記されているため、衣料品情報１０内の込み入った衣料品情報表示領域１３から必要な文字を探す必要が省け、検査の労力と時間を短縮できる。これにより誤った判断が低減される。特に、通常、需要者が衣料品を使用する向きを基準にして、洗濯ネーム１ｃの装着方向が決定される。したがって販売時の折りたたみ状態では、図８に示されるように、パッケージ１０３の商品情報欄１１０と、洗濯ネーム１ｃの向きが、文字内容を認識可能な方向において逆になる場合がある。この際、上記両者の情報の内容が合致しているか否かを検品し難い。しかしながら実施例１の洗濯ネームのように、ライン等のマークや色による判別マークであれば、いずれの表示方向においても認識するのに支障がないため、他方の検品文字に対応した向きのままでも正確に検品することができる。
【産業上の利用可能性】
【００３４】
本発明の洗濯ネームは、衣料品に取り付けられる繊維製品品質表示の内容を確認する検品作業に適用できる。
【図面の簡単な説明】
【００３５】
【図１】実施例１に係る洗濯ネームの平面図である。
【図２】実施例１に係る別の洗濯ネームの平面図である。
【図３】実施例１に係るさらに別の洗濯ネームの平面図である。
【図４】実施例１に係るさらに別の洗濯ネームの平面図である。
【図５】実施例２に係る洗濯ネームの平面図である。
【図６】実施例２に係る別の洗濯ネームの平面図である。
【図７】実施例２に係るさらに別の洗濯ネームの平面図である。
【図８】実施例１に係る検品方法を説明する説明図である。
【図９】従来のタグを有する衣料品の検品方法を説明する説明図である。
【図１０】従来のタグの平面図である。
【図１１】従来の検品方法を説明する説明図である。
【符号の説明】
【００３６】
１、１ｂ、１ｃ、１ｄ、１ｅ、１ｆ、１ｇ…洗濯ネーム
２…衣料品
１０、１０ｂ…衣料品情報
１１、１１ｂ、１１ｃ…衣料品サイズ
１２…家庭洗濯等取扱い方法
１２ａ…絵表示
１３…衣料品情報表示領域
１４…判別領域
１４ｂ…上部判別領域
１４ｃ…下部判別領域
１５、１５ａ、１５ｂ、１５ｃ、１５ｄ、１５ｅ、１５ｆ、１５ｇ…判別マーク
１０１…衣料品
１０２…フック
１０３…パッケージ
１０４…ラベル
１０５…組成表示
１０６…取り扱い絵表示
１０７…製造業者情報
１０８…サイズ
１０９…支持部材
１１０…商品情報欄
１１１…パッケージ用衣料品サイズ
２００…商品名ラベル
２０１…バーコード
２０２…中袋
２０３…商品
２０４…商品バーコード
【図８】
2008225078.tif 000003
【図１０】
2008225078.tif 000004
【図１１】
2008225078.tif 000005
【図１】
2008225078.tif 000006
【図２】
2008225078.tif 000007
【図３】
2008225078.tif 000008
【図４】
2008225078.tif 000009
【図５】
2008225078.tif 000010
【図６】
2008225078.tif 000011
【図７】
2008225078.tif 000012
【図９】
2008225078.tif 000013